(57)【要約】【課題】ハイライトシーン動画像から静止画像を自動抽出するとき、重要なシーンの静止画を確実に生成する装置を提供すること。【解決手段】このため、本発明では、ハイライト指定手段４、ハイライト動画像抽出手段３、ハイライト静止画像抽出手段７、切り出し密度テンプレート５、切り出し密度指定手段６、静止画表示・配信手段８を備え、カメラで撮影した映像から該当するハイライトシーン動画像を切り出し、次に動画像の中から指定した切り出し密度で静止画像を切り出す際、特定時刻付近での切り出し密度を高密度に設定することにより、重要なシーンをハイライト静止画像として抽出する。【選択図】図１
2005191770.tif 000002
【特許請求の範囲】
【請求項１】
静止画像によるハイライトシーンを生成、配信するハイライトシーン静止画生成・配信装置において、
撮影中の動画に対してハイライトとして抽出する箇所を指定するハイライト指定手段と、
撮影した映像からハイライトシーン動画像を切り出すハイライト動画像抽出手段と、
切り出し時間間隔に基づいて、取得済みのハイライト動画像から静止画を抽出するハイライト静止画像抽出手段と、
切り出した動画像区間から静止画像を抽出するときの時間間隔分布を表わす切り出し密度テンプレートと、
切り出すときのフレーム画像同士の時間間隔で表わされる切り出し密度を指定する切り出し密度指定手段と、
抽出したハイライト静止画をユーザに送信する静止画表示・配信手段と、
を具備し、
撮影した映像から前記ハイライト指定手段により指定された箇所を前記ハイライト動画像抽出手段により切り出し、この動画像の中から前記切り出し密度指定手段により指定された、特定時刻付近での切り出し密度を高密度に設定した切り出し時刻にもとづき、前記ハイライト静止画像抽出手段により前記動画像を構成する静止画像を抽出することにより重要なシーンをハイライト静止画像として抽出し、これを前記静止画表示・配信手段に保持することを特徴とするハイライト静止画生成・配信装置。
【請求項２】
被写体が所持したＲＦタグをマーキング手段として使用し、そのマーキング情報をもとに抽出したハイライト動画像から、ハイライト静止画像を取得する場合、切り出し密度は、ＲＦタグが特定の位置付近を通過・滞在するときに高密度になるように設定することを特徴とする請求項１記載のハイライト静止画生成・配信装置。
【請求項３】
オペレータが切り出しポイントをマウスなどで指定手段により指定し、その指定位置を元に抽出したハイライト動画像からハイライト静止画像を取得する場合、切り出し密度を、オペレータが指定した切り出しポイント付近で高密度になるように設定することを特徴とする請求項１記載のハイライト静止画生成・配信装置。
【請求項４】
切り出し密度テンプレートとして、正規分布の如きピーク形成を持つ分布を使用し、ピーク位置を、ハイライト指定位置に一致させることにより、ハイライトシーンの密度を高く設定し、また切り出し時刻に合致するフレーム画像がない場合に、その最近傍のフレーム画像をハイライト静止画として抽出することを特徴とする請求項１記載のハイライト静止画生成・配信装置。
【請求項５】
抽出した複数のハイライト静止画像を１枚の静止画像にマージしたり、静止画列を自動更新して表示したり、手動で１枚ずつ表示することによりハイライトシーンを表示・配信することを特徴とする請求項１記載のハイライト静止画生成・配信装置。
【発明の詳細な説明】
【技術分野】
【０００１】
本発明は、スポーツや映画、ドラマなどのハイライトシーンを静止画像によって生成・配信する装置に関する。。
【背景技術】
【０００２】
近年、携帯電話端末の普及によって、自宅だけでなく、外出先や移動中の乗り物の車内などにおいて、簡単にスポーツなどの試合結果やニュースなどを取得できるようになってきている。これに伴い、テキストデータだけではなく、ハイライトシーン画像や映像などを生成して配信するための装置が求められている。
【０００３】
例えば、帰宅中の電車内で応援している野球チームの選手がホームランを打ったことをテキストベースで確認したときにそのハイライトシーンの画像や映像を携帯端末で閲覧したり、視聴するために、該当するハイライトシーンを静止画として抽出し、ネットワーク回線を用いて配信するための装置が該当する。
【０００４】
従来から、動画の特定箇所から静止画を抽出する手段として、動画編集ソフトが用いられている。このソフトでは例えば、シーンの変化を、前後のフレームの明るさや色の違いなどによって検出し、シーン変化直後の先頭フレームを静止画として抽出する。例えば前後のフレーム間の輝度、色情報、ブロック間相関などの差と閾値を比較し、閾値よりも差が大きいときは、シーン変化有りと見做して、映像のカット点を設定する。このカット点を元に、静止画を抽出する（例えば特許文献１参照）。
【特許文献１】特許第３１９４８３７号公報  しかしながら、カット点が必ずしもハイライトシーンであるとは限らないため、抽出した静止画をハイライトシーン画像として使用することはできなかった。
【０００５】
そこでハイライトシーンに関連付けた静止画像を動画から抽出する方法が幾つか提案されている。例えば動画中から所望のハイライトシーンなどを素早く検索するために、代表画像を抽出する方法が提案されている（例えば特許文献２参照）。
【特許文献２】特開２０００−３５０１５６号公報  この例は代表画像の選択基準として、観客の歓声を示す音の大きさや人物のクローズアップを示す特定色の面積を用いている。
【０００６】
しかしながら代表画像が必ずしもハイライトシーンであるとは限らないため、最終的には人手で選択する必要がある。
【０００７】
また携帯電話へハイライト動画を配信する際、携帯電話の液晶画面上に、その映像に対応する、小さく表示された画像見本であるサムネール画像を表示し、同画像を選択することで所望のシーンを再生するものがある（例えば特許文献３参照）。
【特許文献３】特開２００３−２５０１４０号公報  サムネール画像には、キーフレーム画像を利用し、各映像に対してキーフレーム画像１枚を対応させる。
【０００８】
しかしこれにはハイライト映像を元映像からどのような手法で抽出するのか記載されていない。またキーフレーム画像がそのハイライトシーン動画の代表的な静止画であるか否かは、具体的な抽出方法が記載されていないため判断できない。
【発明の開示】
【発明が解決しようとする課題】
【０００９】
したがって従来の方法あるいは従来方法の組み合わせでは、ハイライト静止画を確実に抽出することが困難であるため、ネットワークなどを介してハイライト静止画を閲覧するサービスを実施できなかった。
【００１０】
本発明は、ハイライト静止画を確実に閲覧可能とするため、ハイライト動画像から静止画像を自動抽出する際に、フレーム画像同士の切り出し密度すなわち時間間隔を粗密に調節することにより重要なシーンの静止画を確実に生成する装置を提供するものである。
【課題を解決するための手段】
【００１１】
前記課題を解決するため本発明のハイライト静止画生成・配信装置では、下記（１）〜（５）に示す如く構成する。
【００１２】
（１）静止画像によるハイライトシーンを生成、配信するハイライトシーン静止画生成・配信装置において、撮影中の動画に対してハイライトとして抽出する箇所を指定するハイライト指定手段と、撮影した映像からハイライトシーン動画像を切り出すハイライト動画像抽出手段と、切り出し時間間隔に基づいて、取得済みのハイライト動画像から静止画を抽出するハイライト静止画像抽出手段と、切り出した動画像区間から静止画像を抽出するときの時間間隔分布を表わす切り出し密度テンプレートと、切り出すときのフレーム画像同士の時間間隔で表わされる切り出し密度を指定する切り出し密度指定手段と、抽出したハイライト静止画をユーザに送信する静止画表示・配信手段と、を具備し、撮影した映像から前記ハイライト指定手段により指定された箇所を前記ハイライト動画像抽出手段により切り出し、この動画像の中から前記切り出し密度指定手段により指定された、特定時刻付近での切り出し密度を高密度に設定した切り出し時刻にもとづき、前記ハイライト静止画像抽出手段により前記動画像を構成する静止画像を抽出することにより重要なシーンをハイライト静止画像として抽出し、これを前記静止画表示・配信手段に保持することを特徴とする。
【００１３】
（２）前記（１）において、被写体が所持したＲＦタグをマーキング手段として使用し、そのマーキング情報をもとに抽出したハイライト動画像から、ハイライト静止画像を取得する場合、切り出し密度は、ＲＦタグが特定の位置付近を通過・滞在するときに高密度になるように設定することを特徴とする。
【００１４】
（３）前記（１）において、オペレータが切り出しポイントをマウスなどで指定手段により指定し、その指定位置を元に抽出したハイライト動画像からハイライト静止画像を取得する場合、切り出し密度を、オペレータが指定した切り出しポイント付近で高密度になるように設定することを特徴とする。
【００１５】
（４）前記（１）において、切り出し密度テンプレートとして、正規分布の如きピーク形成を持つ分布を使用し、ピーク位置を、ハイライト指定位置に一致させることにより、ハイライトシーンの密度を高く設定し、また切り出し時刻に合致するフレーム画像がない場合に、その最近傍のフレーム画像をハイライト静止画として抽出することを特徴とする。
【００１６】
（５）前記（１）において、抽出した複数のハイライト静止画像を１枚の静止画像にマージしたり、静止画列を自動更新して表示したり、手動で１枚ずつ表示することによりハイライトシーンを表示・配信することを特徴とする。
【発明の効果】
【００１７】
本発明により下記の効果を奏する。
【００１８】
（１）本発明により切り出したハイライト動画像の範囲において、指定した切り出し密度に応じて静止画を切り出す際、重要なシーンでは高密度になるよう調節することにより、切り出し後の多数の動画像の中より少ない枚数の静止画像の中にハイライト静止画を確実に抽出することができる。
【００１９】
（２）被写体が所持したＲＦタグをマークキング手段として使用することにより、自動的にハイライト指定点を得ることができ、切り出すハイライト静止画像を自動的に得ることができる。
【００２０】
（３）オペレータがマウス等で切り出しポイントを指定するので、切り出すハイライト静止画像を編集する必要性がない。
【００２１】
（４）切り出し密度テンプレートとして、正規分布などのピーク形状を持つ分布を使用したり、ピーク位置をハイライト指定位置に一致させることにより、切り出し時刻に合致するフレーム画像がない場合、その最近傍のフレーム画像をハイライト静止画として抽出することができ、重要なシーンの密度を高く、重要度の低いシーンの密度を粗に、つまり密度の粗密を調整することができる。
【００２２】
（５）抽出した複数のハイライト静止画像を１枚の静止画像に、例えば２コマ、４コマ、９コマ等にマージしたり、静止画列を自動更新してパラパラ漫画のように表示したり、手動で１枚ずつ表示するなど、多様の表示手法でハイライトシーンを表示・配信することができる。
【発明を実施するための最良の形態】
【００２３】
本発明のハイライト静止画生成・配信装置では、ハイライト動画像抽出手段、ハイライト指定手段、切り出し密度テンプレート、切り出し密度指定手段、ハイライト静止画像抽出手段、静止画表示・配信手段を備える。
【００２４】
ハイライト動画像抽出手段では、カメラで撮影した映像から、該当するハイライトシーン動画像を切り出す。
【００２５】
ハイライト指定手段では、撮影中の動画において、センサ信号や人手によってハイライトとして抽出する箇所を指定する。
【００２６】
切り出し密度テンプレートは静止画像を切り出した動画像区間から抽出するときに、どのくらいの時間間隔で抽出するかの分布を表すテンプレートである。切り出し密度テンプレートは競技別に用意しておき、例えばマラソンのゴールシーンでは、ランナーがゴールラインを横切る瞬間の切り出し密度が高くなるようなテンプレートを使用する。
【００２７】
切り出し密度指定手段では、切り出すときのフレーム画像同士の時間間隔で表される切り出し密度を指定する。切り出し密度は、重要なシーンの密度を高くし、それ以外は低くなるように設定する。
【００２８】
ハイライト静止画像抽出手段では、切り出し密度指定手段で得られた切り出し時間間隔に基づいて取得済みのハイライト動画像から、静止画を抽出する。
【００２９】
抽出したハイライト静止画は、静止画表示・配信手段を経由してエンドユーザへ送られる。
【００３０】
このような構成により、カメラで撮影した動画像から、重要なシーンの静止画を抽出し、エンドユーザに提供することができる。
【実施例】
【００３１】
本発明の一実施例を図１〜図９にもとづき説明する。図１は本発明のブロック構成図、図２はハイライト動画像切り出し状態説明図、図３はハイライト指定手段説明図、図４は切り出し時間間隔の算出方法説明図、図５は動画像とフレーム画像の関係説明図、図６はハイライト静止画像の抽出説明図、図７は圧縮動画像の構成状態説明図、図８はハイライト静止画像の表示例説明図、図９は本発明における処理状態説明図を示す。
【００３２】
図中、１はカメラ、２は動画取得手段、３はハイライト動画像抽出手段、４はハイライト指定手段、５は切り出し密度テンプレート、６は切り出し密度指定手段、７はハイライト静止画像抽出手段、８は静止画表示・配信手段、９はサーバである。
【００３３】
カメラ１は、ハイライトシーンを含む情景を撮影した光学信号を電気信号に変換して出力するものである。
【００３４】
動画取得手段２はカメラ１から入力された電気信号をデジタル値に変換し、連続したフレーム画像で表された切り出し元映像ファイルとして生成、出力するものである。
【００３５】
ハイライト動画像抽出手段３では、動画取得手段２で得た動画から、後述するハイライト指定手段４において指示された切り出し位置を元に、ハイライト動画像を切り出すものである。例えば図２（Ａ）に示す如く、ハイライト指定手段４から、切り出し開始位置と終了位置が指定されると、その挟まれた部分をハイライト動画像とする。あるいは図２（Ｂ）に示す如く、切り出し位置がハイライト指定点として１箇所だけ指定された場合は、指定位置を基準に、予め設定した開始時間幅、終了時間幅でハイライト動画像を切り出す。切り出したハイライト動画像は、ハイライト動画像抽出手段３の図示省略した一時格納手段に保存される。
【００３６】
ハイライト指定手段４はハイライトシーンをセンサ信号あるいは人手により指示するものである。
【００３７】
図３（Ａ）に無線タグ（以下ＲＦタグ）４−１を利用してハイライト位置を設定する方法を示す。ＲＦタグ４−１は、予め撮影対象の被写体（例えばマラソンの場合はマラソンの走者）が所持しているものであり、ＲＦタグからはその所持者の識別番号（マラソンの場合はゼッケン番号）が発信される。ＲＦタグ４−１を所持した被写体がアンテナ４−２に近接すると、ＲＦタグ４−１とＲＦリーダ４−３との間で通信が行われ、例えば走者のゼッケン番号がＲＦリーダ４−３内に格納される。同時に、通信が成立した時刻ｔｃが記録され、撮影中の動画における撮影時刻と同期を取ることで、ハイライト位置を設定することができる。
【００３８】
また図３（Ｂ）にオペレータがハイライト箇所を指定する方法を示す。オペレータは、ハイライトシーンであると判断すると、例えばパソコンに装着されたマウスやキーボードなどの入力手段を用いて、ハイライトが発生したことを通知する。ハイライト指定手段４において、ハイライトが発生した時刻を生成し、ハイライト動画像抽出手段３、切り出し密度指定手段６等に送る。
【００３９】
切り出し密度テンプレート５は、切り出した動画像区間から静止画像を抽出するときに、どのくらいの時間間隔で抽出するかの分布を表すテンプレートであり、対象とする撮影対象の種類に応じて用意する。例えばマラソンのゴールシーン映像から静止画像を抽出するときのテンプレートとしては、正規分布を用いる。ランナー（ＲＦタグ保持）がゴールライン（アンテナ）を通過した瞬間の時刻ｔｃが切り出し区間（ｔS 、ｔE ）と下記（１）式のような関係にあるものとする。
【００４０】
【数１】
2005191770.tif 000003
切り出し密度テンプレートに正規分布を用いると、密度関数ｆ（ｔ）は次式の（２）式で表される。
【００４１】
【数２】
2005191770.tif 000004
σは分散を表しており、σが小さいときは時刻ｔｃ付近の切り出し密度が高くなり、σが大きいときは切り出し密度が低くなる。正規分布など中心付近で密度が大きくなる分布関数を用い、ＲＦタグの検出時刻やオペレータがマウスを押した時刻を中心付近に配置すると、指定した時刻付近の静止画像が多く抽出され、指定時刻から離れると抽出される静止画像が少なくなるようにすることができる。このように密度を粗密に調節することで、重要なシーンの静止画を確実に抽出する処理を実現できる。
【００４２】
また相撲の場合は勝負の決まった瞬間の時刻をｔｃとし、ｔｃまでを正規分布で、ｔｃ以降は急速に下降する関数を用いて密度調節すればよい。
【００４３】
切り出し密度指定手段６では、切り出すときのフレーム画像同士の時間間隔で表される切り出し密度を指定する。切り出し密度は、重要なシーンでは密度を高くし、それ以外は密度を低くなるように設定する。図４に、適当な密度分布関数ｆ（ｔ）を与えたときの、切り出し時間間隔の算出方法を示す。いま切り出し区間の開始時刻をｔS 、終了時刻をｔE とする。また該当する区間から、ｎ枚の静止画像を抽出するものとする。画像数ｎと密度関数ｆ（ｔ）を与えたとき、係数ｋは次の（３）式を満たすものとする。
【００４４】
【数３】
2005191770.tif 000005
係数ｋを前記（３）式より求めてこれを用いて第Ｉ番目の静止画像の切り出し位置ｔｉを次の（４）式から求める。
【００４５】
【数４】
2005191770.tif 000006
ここでＩｎｔ（ｘ）はｘの整数部分を取り出す関数である。このようにして整数１、２、３・・・ｎが得られるが、この発明ではさらに、切り出し密度指定手段６は整数部分に変化のあった（ｎ−１→ｎ）時刻を取り出し、静止画像の切り出し位置とするものである。これにより整数部分が１、２、３・・・ｎに変化したところを得ることができる。
【００４６】
なお、前記（４）式は、正規分布のような対象形の密度分布関数の場合に、切り出しフレームが終了時刻側に偏るため、次の（５）式のように補正し、整数部分に変化のあった時刻を取り出してもよい。
【００４７】
【数５】
2005191770.tif 000007
このようにして（４）式または（５）式から得られた、（６）式で示す時刻が抽出対象のフレーム時刻である。
【００４８】
【数６】
2005191770.tif 000008
ハイライト静止画像抽出手段７では、算出された切り出し時間間隔に基づいて、ハイライト動画像の該当する区間から静止画像を抽出する。動画像は、圧縮処理していない場合は、図５に示す如く、適当なサンプリング時間間隔ｔｆ（例えば３３ｍｓ）で並べられたフレーム画像で構成されている。したがって前記（６）式で得られた時刻ｔｉ（ｉ＝１、２・・・）に対応するフレームを抽出するには、図６に示すように、時刻ｔｉに最も近いサンプリング時刻のフレーム画像をハイライト静止画像として取り出すとよい。
【００４９】
また圧縮処理が行われている場合、動画像は、図７に示す如く、画像内の全画素の値を備えたキーフレーム（実線）と、画素情報を持たずにエンコード演算で得られた数値で表されている圧縮フレーム（点線）で構成される。圧縮フレームは、画素情報がないため静止画像として直接抽出することはできない。この場合は、前記（６）式で得られた時刻ｔｉに対応する圧縮フレームまでをデコードし、対応するフレーム画像の画素情報を再計算してからハイライト静止画像として抽出する。またハイライト動画像を切り出し開始時刻ｔｓから再生し、（６）式で得た時刻ｔｉのタイミングでフレームをキャプチャすることで、ハイライト静止画像を取得してもよい。
【００５０】
このようにして抽出されたハイライト静止画像は、静止画表示・配信手段８に送出され、保持される。
【００５１】
静止画表示・配信手段８では、抽出したハイライト静止画を適当な方法でエンドユーザが閲覧するための手段を提供する。
【００５２】
図８はハイライト静止画の表示側である。図８（Ａ）は静止画を縦方向に並べた場合を示している。縦方向に静止画を並べる場合、静止画表示・配信手段８では下記のようなＨＴＭＬファイルを生成する。なおimg1.gif, img2.gif, ・・・は抽出したハイライト静止画像のファイル名を示す。
【００５３】
〈HTML〉
〈HEAD〉
〈TITLE 〉○○○〈/TITLE〉
〈/HEAD 〉
〈BODY〉
〈IMG SRC=”images/img1.gif ”〉
〈IMG SRC=”images/img2.gif ”〉
・
・
・
〈/BODY 〉
〈/HTML 〉
図８（Ａ）では、２枚のハイライト静止画像を表示画面の左側に表示した例について説明したが、勿論中央部分に表示することもできる。
【００５４】
図８（Ｂ）は、１枚の画像に４枚のハイライト静止画を格子状に配置したときの表示例を示している。この場合、選択した複数の静止画像を１枚の画像にマージする処理を施しておく。例えばハイライト静止画像のサイズが、横１６０画素×縦１２０画素であるとき、１枚目のハイライト画像の左上端の画素が、１行１列目の画素位置になるように画像を配置し、２枚目のハイライト画像の左上端画素が、１行１６１列目の画素位置になるように画像を順次配置していくことで、マージ画像を作成することができる。
【００５５】
図８（Ｃ）は、ハイライト静止画像を、適当な時間間隔で順次表示するアニメーション表示することで、擬似的な動画像を表示する例である。擬似的な動画像を生成する場合は、パラパラと漫画をめくる形式で画像を保持するアニメＧＩＦ（Grahic Interchange Format)やＦＬＡＳＨ等の技術を使用する。
【００５６】
サーバ９は、このようなハイライト静止画像を保持し、エンドユーザからのアクセス要求にもとづき、ハイライト静止画像を選択抽出してエンドユーザに提供するものである。      
【００５７】
次に図１に示す本発明のハイライト静止画生成・配信装置の処理の流れを、図９にもとづき説明する。
【００５８】
ａ．オペレータは、撮影対象に合った切り出し密度テンプレート５をあらかじめ選択する。
【００５９】
ｂ．オペレータはカメラ１を操作し、撮影を開始する。
【００６０】
ｃ．カメラ１で撮影された映像は、動画取得手段２において切り出し元となる映像ファイルに作成される。切り出し元映像ファイルは撮影が終了するまで途切れなく作成される。
【００６１】
ｄ．撮影場面がハイライトシーンになったとき、ハイライト指定手段４において、ＲＦタグやオペレータの入力に同期して、ハイライトシーン発生時刻が決定される。
【００６２】
ｅ．ハイライトシーン発生時刻がハイライト動画像抽出手段３及び切り出し密度指定手段６に通知される。
【００６３】
ｆ．ハイライト発生時刻を基準に、切り出し開始時刻ｔS と終了時刻ｔE が決定される。
【００６４】
ｇ．ハイライト動画像抽出手段３において、該当する切り出し区間の動画像が抽出される。
【００６５】
ｈ．切り出し密度指定手段６において、切り出し密度テンプレート、切り出し開始・終了時刻、抽出する静止画像数から、抽出するフレーム画像の時刻ｔ1 、ｔ2 ・・・ｔｎを算出する。
【００６６】
ｉ．ハイライト静止画像抽出手段７において、前記（６）式で算出したフレーム時刻に対応する画像をハイライト動画像から抽出する。
【００６７】
ｊ．静止画表示・配信手段８において、予め指定された表示形式に応じて、ハイライト静止画像を加工したり、ブラウザで表示するためのＨＴＭＬファイルを作成する。
【００６８】
ｋ．静止画表示・配信手段８では、ハイライト静止画像、ＨＴＭＬファイルをネットワークを経由してサーバにアップロードする。
【００６９】
ｌ．エンドユーザが、携帯端末を使用してニュース報道などのテキスト情報から野球やサッカー、相撲等でハイライトシーンの存在を認識したとき、前記報道画面の隅部に存在する分野別のハイライトエリアをクリックすると、それに応じたハイライト静止画像を保持するサーバのアクセス先アドレスが自動的に送出される。これに応じてサーバから所望のハイライト静止画像がエンドユーザに送信され、エンドユーザは所望のハイライト静止画像を閲覧することができる。
【図面の簡単な説明】
【００７０】
【図１】本発明のブロック構成図である。
【図２】ハイライト動画像切り出し状態説明図である。
【図３】ハイライト指定手段説明図である。
【図４】切り出し時間間隔の算出方法説明図である。
【図５】動画像とフレーム画像の関係説明図である。
【図６】ハイライト静止画像の抽出説明図である。
【図７】圧縮動画像の構成状態説明図である。
【図８】ハイライト静止画像の表示例説明図である。
【図９】本発明における処理状態説明図である。
【符号の説明】
【００７１】
１  カメラ
２  動画取得手段
３  ハイライト動画像抽出手段
４  ハイライト指定手段
５  切り出し密度テンプレート
６  切り出し密度指定手段
７  ハイライト静止画像抽出手段
８  静止画表示・配信手段
９  サーバ
【図１】
2005191770.tif 000009
【図２】
2005191770.tif 000010
【図３】
2005191770.tif 000011
【図４】
2005191770.tif 000012
【図５】
2005191770.tif 000013
【図６】
2005191770.tif 000014
【図７】
2005191770.tif 000015
【図８】
2005191770.tif 000016
【図９】
2005191770.tif 000017